(57)【特許請求の範囲】
【請求項１】
ほぼ一様な厚みで且つほぼ長円形をした板状体と、この板状体において相対向する端部間の距離が最も長い方向を長手方向とすると共にこの両端部を通る仮想線を長手方向軸線とするとき、この長手方向軸線上における前記板状体の両端部に形成された貫通穴とを有し、前記長手方向軸線上における前記板状体の対向端部間のほぼ二等分位置を前記板状体の中心点とするとき、前記板状体の両面の間には前記長手方向軸線上における前記中心点より偏位した位置に穴部が形成されていて、前記板状体の一方の表面には前記穴部に差し込んであって前記表面から突出する第１の突起部が形成され、前記板状体の他方の表面には前記第１の突起部とほぼ同じ位置の裏側に前記穴部に差し込んである第２の突起部が形成され、前記第１の突起部にはねじ穴があり、前記第２の突起部には前記ねじ穴に螺合するねじピンがあって、前記各突起部の重さを変えることにより、前記板状体両表面における重量バランスを変化させることができることを特徴とするルアー。
【請求項２】
前記第１の突起部と前記第２の突起部とは重さをそれぞれ異にする請求項１に記載のルアー。
【請求項３】
前記長手方向軸線上における前記板状体の少なくとも一方の端部付近の厚みが、前記板状体の周縁に向かって漸減している請求項１又は２に記載のルアー。
【請求項４】
前記板状体が、前記長手方向軸線に関して対称であり、更に前記板状体の前記中心点を通り且つ前記長手方向軸線に直交する幅方向軸線に関して非対称である請求項１〜３のいずれかに記載のルアー。
【請求項５】
前記突起部が前記板状体の材料よりも比重の大きい材料で形成されている請求項１〜４のいずれかに記載のルアー。
【発明の詳細な説明】
【０００１】
【発明の属する技術分野】
本発明はルアーに関し、更に詳細には板状体を主要な構成要素とし、水中で微小な振れを起こすことにより例えば管理釣り場などでの使用に適する板状のルアーに関する。
【０００２】
【従来の技術】
近年、管理釣り場においてニジマス、ヤマメ、イワナなどの釣りを楽しむ人が増えている。従来、これらの魚も含めて多くの種類の魚に対応したルアーが開発されており、代表的には、スピナー、スプーン、プラグなどが知られている。これらのルアーは、対象魚が興味を示すような形状や色彩を主たる要素にして形成されたものである。
【０００３】
例えば、ニジマスを釣る場合には、ブレードや胴の部分に赤色が少し入っているスピナーが使用されるように、従来のルアーでは、これを魚が水中で見ると小魚などと見間違える形状や色彩で形成されていた。他方、魚が水中で小魚などと見間違えるような動きをするルアーとしてスプーンが知られている。このスプーンは、その独特の構造や形状によって水中で振りを起こさせて魚に興味を引かせ、これを追いかけさせるようにするものである。
【０００４】
【発明が解決しようとする課題】
このようなことから、小さくて軽量であっても管理釣り場のような水勢の弱い場所で微小な動きを連続して起し、ニジマス、ヤマメ、イワナなどに興味を引かせることができ、同時に大きなサイズの魚を対象とする場合でも、同様に微小な動きを連続して起して興味を引かせることができるようなルアーの提供が望まれていた。
【０００５】
本発明の目的は、かかる従来の要望に応えるためになされたもので、水中で微小な動きを連続して起こして対象魚に興味を引かせるルアーを提供することにある。
【０００６】
【課題を解決するための手段】
本発明はルアーに関し、前述した技術的課題を解決するために以下のように構成されている。すなわち、本発明のルアーは、ほぼ一様な厚みで且つほぼ長円形をした板状体と、この板状体において相対向する端部間の距離が最も長い方向を長手方向とすると共にこの両端部を通る仮想線を長手方向軸線とするとき、この長手方向軸線上における前記板状体の両端部に形成された貫通穴とを有し、前記長手方向軸線上における前記板状体の対向端部間のほぼ二等分位置を前記板状体の中心点とするとき、前記板状体の両面の間には前記長手方向軸線上における前記中心点より偏位した位置に穴部が形成されていて、前記板状体の一方の表面には前記穴部に差し込んであって前記表面から突出する第１の突起部が形成され、前記板状体の他方の表面には前記第１の突起部とほぼ同じ位置の裏側に前記穴部に差し込んである第２の突起部が形成され、前記第１の突起部にはねじ穴があり、前記第２の突起部には前記ねじ穴に螺合するねじピンがあって、前記各突起部の重さを変えることにより、前記板状体両表面における重量バランスを変化させることができることを特徴とする。
【０００７】
このルアーをキャストして水中に沈めると、板状体の一方の表面から突出した第１の突起部を下にして板状体がほぼ水平になり、ラインを引くと、第１の突起部を支点として長手方向軸線上における板状体の両端部が激しく且つ細かく振れ、これにより魚が水生生物と見間違えて食い付く。
【０００８】
本発明のルアーは、前述した特徴に加えて更に以下のような特徴も備える。すなわち、本発明のルアーにおいて、板状体には、第１の突起部とほぼ同じ位置の裏側に第２の突起部が形成され、第１の突起部と第２の突起部とは重さをそれぞれ異にすることを特徴とする。このように板状体の両表面からそれぞれ突出する各突起部の重さを変えて板状体両表面における重量バランスを様々に変化させると、ルアーに更に種々の動きを出すことができる。
【０００９】
また、本発明のルアーでは、長手方向軸線上における板状体の少なくとも一方の端部付近の厚みを、板状体の周縁に向かって漸減させるようにすることが好ましい。これにより水中でのルアーの動きに一層の変化を出すことができる。更に、本発明のルアーでは、板状体が、長手方向軸線に関して対称であり、更に板状体の中心点を通り且つ長手方向軸線に直交する幅方向軸線に関して非対称とするような形状とすることが好ましい。更にまた、第１及び第２の突起部を板状体の材料よりも比重の大きい材料で形成することが好ましい。
【００１０】
【発明の実施の形態】
以下、本発明のルアーを図示の実施形態について更に詳細に説明する。図１〜図３には本発明の一実施形態に係るルアー１０が示されている。図１はルアー１０の斜視図、図２はルアー１０の平面図、図３は図１のＡ−Ａ線でルアー１０を切断して示す縦断面図である。
【００１１】
このルアー１０は、図１及び図２から明らかなようにほぼ一様な厚みで且つほぼ長円形をした板状体１１を備えている。この板状体１１において端部間の距離が最も長い対向する端部を通る仮想線を長手方向軸線とし、図中、これらの端部をそれぞれ符号１１ａ、１１ｂで示し、この両端部１１ａ、１１ｂを通る長手方向軸線を符号１１ｃで示す。更に、この板状体１１において、便宜的に、両端部１１ａ、１１ｂを通る長手方向軸線１１ｃに沿う方向を前後方向とし、端部１１ａ側を前方、端部１１ｂ側を後方とする。
【００１２】
更に、長手方向軸線１１ｃ上の両端部１１ａ、１１ｂ間のほぼ二等分位置を板状体１１の中心点Ｏとするとき、この板状体１１は、長手方向軸線１１ｃに直交し、中心点Ｏを通る垂直線１１ｄに関して非対称、即ち図２で見て垂直線１１ｄに関して左側半分と右側半分が非対称とされ、長手方向軸線１１ｃに関しては対称、即ち図２で見て長手方向軸線１１ｃに対して上半分と下半分が対称となるような形状とされている。
【００１３】
この板状体１１の両端部１１ａ、１１ｂにおける長手方向軸線１１ｃ上には貫通穴１２、１３が形成されている。図示例において、前方の貫通穴１２には、スプリットリングなどを介してラインが接続される。また、後方の貫通穴１３には図示されているようにスプリットリング１４を介してフック１５が取り付けられる。ただし、ルアー１０は、貫通穴１２にフック１５を取り付け、貫通穴１３にラインを取り付けて使用してもよい。
【００１４】
板状体１１には、長手方向軸線１１ｃ上において中心点Ｏより後方へ偏位した表面位置にウエイト１６が取り付けられている。このウエイト１６は、第１の突起部を形成する主体部材１７と、これを板状体１１に取り付けるための第２の突起部を形成する止め部材１８とから構成されている。ウエイト１６の主体部材１７は、半球状部１７ａと、この半球状部１７ａの平坦な円形底面１７ｂの中心部から突出し、この円形底面１７ｂの直径より小さな直径の取付け部１７ｃとから構成され、この取付け部１７ｃの端面中心部から内方に向かってねじ穴１７ｄが形成されている。
【００１５】
他方、止め部材１８は、半球状部１７ａの円形底面１７ｂにおける中心部から突出する取付け部１７ｃの直径より大きな直径の円柱部１８ａを備え、この円柱部１８ａの一方の端面の中心部からは取付け用のねじピン１８ｂが突出している。
【００１６】
このようなウエイト１６を取り付けるために、板状体１１における前述した中心点Ｏから後方に偏位した位置には、小径穴１９ａと大径穴１９ｂとを軸方向に配列してなる段付け穴部１９が形成されている。図３の例では、小径穴１９ａが板状体１１の下面側に形成され、大径穴１９ｂは板状体１１の上面側に形成されている。従って、小径穴１９ａと大径穴１９ｂの連接部に表れる段部２０は、この段付け穴部１９において板状体１１の上面側に向いている。
【００１７】
この段付け穴部１９において、小径穴１９ａは、ウエイト１６の主体部材１７における円形底面１７ｂの中心部から突出した取付け部１７ｃの直径と同じかそれより僅かに大きな直径で形成され、また、大径穴１９ｂは、止め部材１８の円柱部１８ａにおける直径にほぼ等しいか又はそれより僅かに大きい直径で形成されている。更に、段付け穴部１９において小径穴１９ａの深さは、取付け部１７ｃの長さ（高さ）にほぼ等しいかそれより大きく形成されている。
【００１８】
これによりウエイト１６を板状体１１に取り付けるとき、図示例のように小径穴１９ａの深さが取付け部１７ｃの長さとほぼ等しい場合には、板状体１１の一方の表面側から主体部材１７の取付け部１７ｃを段付け穴部１９に差し込むと、この取付け部１７ｃの周囲における円形底面１７ｂが板状体１１の表面に密着し、取付け部１７ｃの端面は段付け穴部１９内において段部２０とほぼ同一面に位置することになる。
【００１９】
従って、止め部材１８における円柱部１８ａの端面から突出したねじピン１８ｂを大径穴１９ｂから取付け部１７ｃの端面に形成されたねじ穴１７ｄに螺合して、止め部材１８を板状体１１の上面側の大径穴１９ｂ内に配置するとき、円柱部１８ａの端面は大径穴１９ｂの底即ち段部２０に接触する。これにより、ウエイト１６における主体部材１７と止め部材１８とが板状体１１を上下両面から挟持し、その結果ウエイト１６は板状体１１に堅固に取り付けられる。
【００２０】
このウエイト１６における主体部材１７と止め部材１８との連結は、ねじピン１８ｂをねじ穴１７ｄに螺合する方法以外に、ねじピン１８ｂ及びねじ穴１７ｄを単なるピン及び穴として相互に圧入して固定する方法でもよく、或いはこの穴に接着剤などを充填してピンを穴に対して接着固定させてもよい。
【００２１】
このようにして板状体１１にウエイト１６が取り付けられると、主体部材１７の半球状部１７ａは第１の突起部として板状体１１の下面から突出する。また、止め部材１８は円柱部１８ａの長さによって板状体１１の上面から突出して第２の突起部となったり、上面と同一になったり、上面より低くなったりする。図３では、止め部材１８の円柱部１８ａが板状体１１の上面から突出して第２の突起部を構成している場合の例を示している。
【００２２】
図３で見て板状体１１の下面から突出する半球状部１７ａの突出高さをＨとし、板状体１１の上面から突出する止め部材１８の円柱部１８ａの突出高さをｈとすると、これらの関係は０≦ｈ＜Ｈとなることが好ましい。ｈ＝０のとき、即ち止め部材１８の円柱部１８ａが板状体１１の上面から突出する突出高さｈが０のときとは、この円柱部１８ａが板状体１１の表面と同一面をなしている状態を意味する。従って、この場合には、半球状部１７ａだけが板状体１１の下面から突出する。また、板状体１１の下面から突出する半球状部１７ａの重さをＷ１とし、板状体１１の上面から突出する止め部材１８における円柱部１８ａの突起部（第２の突起部）のみの重さをＷ２とするとき、Ｗ２＜Ｗ１の関係とすることも必要である。
【００２３】
このルアー１０を使用する場合には、板状体１１の前方端部１１ａにおける貫通穴１２にスプリットリングなどを介してライン（図示せず）を繋ぎ、水中に投げ入れる。次いで、ラインを引くと、ルアー１０は、半球状部１７ａが錘となってこれを取り付けた板状体１１の図３における下面が下方向に向いて板状体１１をほぼ水平にし、この状態で水中を移動する。ルアー１０の前方から後方へ相対的に流れる水が、板状体１１の表面から突出した半球状部１７ａにぶつかって抵抗となり且つこの半球状部１７ａの周囲を回り込むように流れる。これにより、ルアー１０は、ウエイト１６を中心として前後端部１１ａ、１１ｂが激しく且つ細かく振れる。この結果、魚が水生生物と見間違えて食い付くことになる。
【００２４】
なお、図３に明瞭に示されるように長手方向軸線１１ｃ上における板状体１１の両端部１１ａ、１１ｂ付近における厚みを、中心点Ｏが位置する内方側から板状体１１の周縁に向かって漸減させるようにすると、水中でのルアーの動きに一層の変化を出すことができる。このような端部付近における厚みの変化は、前後端部いずれか一方であってもよい。
【００２５】
このルアー１０では、板状体１１をアルミニウムやプラスチックで形成することができ、またウエイト１６は板状体１１よりも比重が大きい真鍮等の金属で形成することがよい。また、このルアー１０は、大きなサイズの魚に対して使用することを考慮して板状体１１における端部１１ａ、１１ｂ間距離（板状体１１の全長）を１５〜１２０ミリ、最大幅寸法を５〜６０ミリとする大きさで形成することが好ましい。
【００２６】
【発明の効果】
本発明のルアーによれば、ほぼ一様な厚みで且つほぼ長円形をした板状体の一方の表面に、その表面の中央部から周縁に偏位した位置にウエイトを取り付けたことにより、水中で微小な動きを連続して起こして対象魚に興味を引かせることができ、その結果このルアーを使用した場合には多くの釣果を期待することができる。また、前記ウエイトの第２の突起部を板状体の表面から突出したり、表面と同一になったり、表面より低くしたりすることにより、水中での対象魚に対してルアーの動きに変化を与えることができる。
【図面の簡単な説明】
【図１】  本発明のルアーの一実施形態を示す斜視図である。
【図２】  図２に示すルアーの平面図である。
【図３】  図１のルアーをＡ−Ａ線で切断して示す縦断面図である。
【符号の説明】
１０  ルアー
１１  板状体
１１ａ、１１ｂ  端部
１１ｃ  長手方向軸線
１１ｄ  幅方向軸線
１２、１３  貫通穴
１４  スプリットリング
１５  フック
１６  ウエイト
１７  主体部材（第１の突起部）
１７ａ  半球状部
１７ｂ  円形底面
１７ｃ  取付け部
１７ｄ  ねじ穴
１８  止め部材（第２の突起部）
１８ａ  円柱部
１８ｂ  ねじピン
１９  段付け穴部
１９ａ  小径穴
１９ｂ  大径穴
２０  段部
【図１】
0003860486.tif 000002
【図２】
0003860486.tif 000003
【図３】
0003860486.tif 000004